【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
複数の走査線と、
複数のデータ線と、
前記複数の走査線の所定数毎に対応して設けられた複数の共通電極と、
前記走査線と前記データ線との交差に対応して設けられ、各々は、一端が前記データ線に接続されるとともに、前記走査線に選択電圧が印加されたときに導通状態となる画素スイッチング素子と、
一端が前記共通電極に接続され、他端が前記画素スイッチング素子の他端に接続された画素容量と、を含み、
当該画素容量の保持電圧に応じた階調となる画素と、を有し、
前記複数の走査線のうち一部の走査線に係る画素に表示をさせる液晶装置の駆動回路であって、
前記複数の走査線を所定の順番で選択する走査線駆動回路と、
前記複数の共通電極を駆動する第１制御回路と、
選択された走査線に係る画素に対し、当該画素の階調に応じた電圧のデータ信号を、データ線を介して供給するデータ線駆動回路と、
選択された走査線に係る画素に対し、所定の電圧を供給する第２制御回路と、
を具備し、
前記一部の走査線が選択されるときには、前記第１駆動回路は、選択された走査線に係る画素に対応する共通電極の電圧を、第１電圧、および前記第１電圧より高位の第２電圧のいずれか一方から他方に切り替え、且つ前記データ線駆動回路が、選択された走査線に係る画素に対して当該画素の階調に応じた電圧のデータ信号を供給し、
前記一部の走査線以外の走査線が選択されるときには、前記第１制御回路は、選択された走査線に係る画素に対応する共通電極に前記所定電圧を供給し、且つ前記第２制御回路が、選択された走査線に係る画素に対して前記所定の電圧を供給することを特徴とする液晶装置の駆動回路。
【請求項２】
前記データ線駆動回路は、
選択された走査線に係る画素に対応する共通電極が第１電圧のときには、前記第１電圧より高位の正極性の電圧を、前記第２電圧のときには前記第２電圧より低電位の正極性の電圧を、それぞれ選択された走査線に係る画素に対して供給することを特徴とする請求項１に記載の液晶装置の駆動回路。
【請求項３】
前記一部の走査線が前記所定数選択される毎に、前記正極性の画像信号と前記負極性の画像信号とを交互に切り替えることを特徴とする請求項２に記載の液晶装置の駆動回路。
【請求項４】
前記所定電圧が、前記第１電圧および前記第２電圧から選ばれることを特徴とする請求項１乃至請求項３のいずれか１項に記載の液晶装置の駆動回路。
【請求項５】
前記第１制御回路は、ラッチ回路および選択回路を有し、
前記ラッチ回路は、
前記複数の共通電極毎にそれぞれ設けられた単位ラッチ回路を有し、
前記単位ラッチ回路の各々は、
前記データ線駆動回路に対して画像信号の正極性および負極性を指示する極性信号を、当該共通電極に対応する走査線に対して互いに隣接する２行の走査線のいずれか一方が選択されたときにラッチし、
前記選択回路は、
前記複数の共通電極毎にそれぞれ設けられた単位選択回路を含み、
前記一部の走査線に係る画素に対応する共通電極に応じた単位選択回路は、前記ラッチ回路によりラッチされた極性信号に応じて前記第１および第２電圧のいずれかを、当該共通電極に印加し、
前記一部の走査線以外の走査線に係る画素に対応する共通電極に応じた単位選択回路は、前記所定の電圧を、当該共通電極に印加することを特徴とする請求項２乃至４のいずれか１項に記載の液晶装置の駆動回路。
【請求項６】
前記第１制御回路は、ラッチ回路および選択回路を有し、
前記ラッチ回路は、
前記複数の共通電極毎にそれぞれ設けられた単位ラッチ回路を有し、
前記単位ラッチ回路の各々は、
前記データ線駆動回路に対して画像信号の正極性および負極性を指示する極性信号を、当該共通電極に対応する走査線よりも１行前の走査線が選択されたときにラッチし、
前記選択回路は、
前記複数の共通電極毎にそれぞれ設けられた単位選択回路を含み、
前記一部の走査線に対応する共通電極に応じた単位選択回路は、前記ラッチ回路によりラッチされた極性信号に応じて前記第１および第２電圧のいずれかを、当該共通電極に印加し、
前記一部の走査線以外の走査線に対応する共通電極に応じた単位選択回路は、前記所定の電圧を、当該共通電極に印加することを特徴とする請求項２乃至請求項４のいずれか１項に記載の液晶装置の駆動回路。
【請求項７】
前記第１制御回路は、ラッチ回路および選択回路を有し、
前記ラッチ回路は、
前記複数の共通電極毎にそれぞれ設けられた単位ラッチ回路を有し、
前記単位ラッチ回路の各々は、
前記データ線駆動回路に対して画像信号の正極性および負極性を指示する極性信号を、当該共通電極に対応する走査線よりも１行前の走査線が選択されたときにラッチし、
前記選択回路は、
予め定められた前記一部の走査線に係る画素に対応する共通電極に応じて設けられる第１単位選択回路と、
前記一部の走査線以外の走査線に対応する共通電極に応じて設けられる第２単位選択回路と、
を有し、
前記第１単位選択回路は、
前記ラッチ回路によりラッチされた極性信号に応じて前記第１または第２電圧のいずれかを、当該共通電極に印加し、
前記第２単位選択回路は、
全ての前記複数の走査線に係る画素に表示をさせるときには、前記ラッチ回路によりラッチされた極性信号に応じて前記第１および第２電圧のいずれかを、当該共通電極に印加し、
前記一部の走査線に係る画素に表示をさせる場合には、前記所定の電圧を、当該共通電極に印加することを特徴とする請求項２乃至請求項４のいずれか１項に記載の液晶装置の駆動回路。
【請求項８】
複数の走査線と、
複数のデータ線と、
前記複数の走査線の所定数毎に対応して設けられた複数の共通電極と、
前記走査線と前記データ線との交差に対応して設けられ、各々は、一端が前記データ線に接続されるとともに、前記走査線に選択電圧が印加されたときに導通状態となる画素スイッチング素子と、
一端が前記共通電極に接続され、他端が前記画素スイッチング素子の他端に接続された画素容量と、を含み、
当該画素容量の保持電圧に応じた階調となる画素と、を有し、
前記複数の走査線のうち一部の走査線に係る画素に表示をさせる液晶装置の駆動方法であって、
前記複数の走査線を所定の順番で選択する手順と、
前記複数の走査線のうち前記一部の走査線が選択されるときに、選択される走査線に係る画素に対応する共通電極を、第１電圧および前記第電圧より電位が高い第２電圧のいずれか一方から他方に切り替え、且つ、選択された走査線に係る画素に対して当該画素の階調に応じた電圧のデータ信号を供給し、
前記一部の走査線以外の走査線が選択されるときには、選択される走査線に係る画素に対応する共通電極に前記所定電圧を供給し、且つ選択された走査線に係る画素に対して前記所定の電圧を供給する手順と、を含んでなることを特徴とする液晶装置の駆動方法。
【請求項９】
複数の走査線と、
複数のデータ線と、
前記複数の走査線の所定数毎に対応して設けられた複数の共通電極と、
前記走査線と前記データ線との交差に対応して設けられ、各々は、一端が前記データ線に接続されるとともに、前記走査線に選択電圧が印加されたときに導通状態となる画素スイッチング素子と、
一端が前記共通電極に接続され、他端が前記画素スイッチング素子の他端に接続された画素容量と、を含み、
当該画素容量の保持電圧に応じた階調となる画素と、を有し、
前記複数の走査線のうち一部の走査線に係る画素に表示をさせることが可能な液晶装置であって、
前記複数の走査線を所定の順番で選択する走査線駆動回路と、
前記複数の共通電極を駆動する第１制御回路と、
選択された走査線に係る画素に対し、当該画素の階調に応じた電圧のデータ信号を、データ線を介して供給するデータ線駆動回路と、
選択された走査線に係る画素に対し、所定の電圧を供給する第２制御回路と、
を具備し、
前記一部の走査線が選択されるときには、前記第１駆動回路は、選択された走査線に係る画素に対応する共通電極の電圧を、第１電圧、および前記第１電圧より高位の第２電圧のいずれか一方から他方に切り替え、且つ前記データ線駆動回路が、選択された走査線に係る画素に対して当該画素の階調に応じた電圧のデータ信号を供給し、
前記一部の走査線以外の走査線が選択されるときには、前記第１制御回路は、選択された走査線に係る画素に対応する共通電極に前記所定電圧を供給し、且つ前記第２制御回路が、選択された走査線に係る画素に対して前記所定の電圧を供給することを特徴とする液晶装置。
【請求項１０】
第１基板と、前記第１基板に対向配置された第２基板と、前記第１基板と前記第２基板との挟持された液晶と、を備え、
前記第１基板が、前記複数の走査線、前記複数のデータ線、前記複数の共通電極および前記画素スイッチング素子を備えてなることを特徴とする請求項９に記載の液晶装置。
【請求項１１】
前記複数の共通電極は、前記複数の走査線の１行ずつに対応するとともに、前記走査線の延在方向に沿って前記画素電極の１行分にわたって対向するように設けられ、
当該共通電極の各々にそれぞれ補助共通線が、前記走査線および前記共通電極の延在方向に沿って設けられるとともに、１組の共通電極および補助共通線は、所定の間隔毎に設けられたコンタクト配線を介して互い接続された
ことを特徴とする請求項９又は請求項１０に記載の液晶装置。
【請求項１２】
請求項９乃至請求項１１のいずれか１項に記載の液晶装置を備えることを特徴とする電子機器。
【手続補正２】
【補正対象書類名】明細書
【補正対象項目名】０００１
【補正方法】変更
【補正の内容】
【０００１】
本発明は、液晶装置の駆動回路、駆動方法および液晶装置に関するものであり、特に、全画面表示モードと部分表示モードとを切り替え可能な液晶装置の消費電力を抑える技術に関する。
【手続補正３】
【補正対象書類名】明細書
【補正対象項目名】００１３
【補正方法】変更
【補正の内容】
【００１３】
上記目的を達成するために本発明に係る液晶装置の駆動回路は、複数の走査線と、複数のデータ線と、前記複数の走査線の所定数毎に対応して設けられた複数の共通電極と、前記走査線と前記データ線との交差に対応して設けられ、各々は、一端が前記データ線に接続されるとともに、前記走査線に選択電圧が印加されたときに導通状態となる画素スイッチング素子と、一端が前記共通電極に接続され、他端が前記画素スイッチング素子の他端に接続された画素容量と、を含み、当該画素容量の保持電圧に応じた階調となる画素と、を有し、前記複数の走査線のうち一部の走査線に係る画素に表示をさせる液晶装置の駆動回路であって、前記複数の走査線を所定の順番で選択する走査線駆動回路と、前記複数の共通電極を駆動する第１制御回路と、選択された走査線に係る画素に対し、当該画素の階調に応じた電圧のデータ信号を、データ線を介して供給するデータ線駆動回路と、選択された走査線に係る画素に対し、所定の電圧を供給する第２制御回路と、を具備し、前記一部の走査線が選択されるときには、前記第１駆動回路は、選択された走査線に係る画素に対応する共通電極の電圧を、第１電圧、および前記第１電圧より高位の第２電圧のいずれか一方から他方に切り替え、且つ前記データ線駆動回路が、選択された走査線に係る画素に対して当該画素の階調に応じた電圧のデータ信号を供給し、前記一部の走査線以外の走査線が選択されるときには、前記第１制御回路は、選択された走査線に係る画素に対応する共通電極に前記所定電圧を供給し、且つ前記第２制御回路が、選択された走査線に係る画素に対して前記所定の電圧を供給することを特徴とする。本発明の液晶装置の駆動回路は、すべての画素を用いて有効な表示を行う全画面表示モードと、表示領域に係る走査線に対応する画素のみを用いて有効な表示を行い、非表示領域に係る走査線に対応する画素の表示を無効化させる部分表示モードと、のいずれかを選択できる。走査線駆動回路は、複数の走査線に選択電圧を所定の順番で印加する。第１制御回路は、複数の共通電極に、第１電圧、第１電圧よりも高位の第２電圧、または、所定の電圧のうちいずれかを印加する。第１制御回路は、全画面表示モードの場合において一の走査線に選択電圧が印加される前、および、部分表示モードにおいて表示領域に係る一部の走査線のうちの一の走査線に選択電圧が印加される前に、当該一の走査線に係る画素に対応する共通電極の電圧を、第１電圧または前記第２電圧のいずれか一方から他方へと切り替える。一方、部分表示モードにおいて非表示領域に係る走査線に係る画素に対応する共通電極に印加する電圧を、所定の電圧に保持する。データ線駆動回路は、全画面表示モードの場合において複数の走査線のいずれかに選択電圧が印加された場合、および、部分表示モードにおいて表示領域に係る走査線のいずれかに選択電圧が印加された場合に、当該選択電圧が印加された走査線に係る画素に対応する共通電極が第１電圧のとき、当該選択電圧が印加された走査線に係る画素に対し、当該画素の階調に応じた電圧であって、第１電圧よりも高位とした正極性の画像信号をデータ線に印加し、当該選択電圧が印加された走査線に係る画素に対応する共通電極が前記第２電圧のとき、当該画素に対し、当該画素の階調に応じた電圧であって、前記第２電圧よりも低位とした負極性の画像信号を前記データ線に印加する。第１制御回路は、部分表示モードにおいて非表示領域に係る走査線のいずれかに選択電圧が印加された場合には、当該選択電圧が印加された走査線に係る画素に対応する共通電極には第１制御回路により所定電圧を印加され、データ線には第２制御回路よりその所定電圧が印加される。所定電圧は、前記第１電圧および第２電圧から選ばれた電圧であってもよい。
本発明の駆動回路によれば、全画面表示モードにおける表示領域と、部分表示モードにおける表示領域とでは、第１電圧を共通電極に印加した後に正極性書込を実行し、第２電圧を共通電極に印加した後に、負極性書込を実行するので、画素容量において書込後に電荷が移動しにくい。このため、蓄積容量の特性が不均一であっても、画素電極の電圧にばらつきが生じにくいので、各画素での表示が揃うことになり、表示品位の低下を抑制できる。さらに、本発明の駆動回路によれば、別個の容量線が不要となるので、容量線の電圧を、画素容量が有する画素電極や共通電極とは異なる電圧に変動させる必要性がなくなる。第１基板に画素電極および共通電極の双方が形成されるので、ＩＰＳやＦＦＳといった液晶装置に容易に適用可能となる。くわえて、上記駆動回路によれば、部分表示モードにおける非表示領域では、画素電極に印加される電圧と同じ電圧が共通電極に印加されるので、画素電極に保持される電圧はゼロとなる。このため、非表示領域の画素において消費される電力を抑えることができる。
【手続補正４】
【補正対象書類名】明細書
【補正対象項目名】００１４
【補正方法】変更
【補正の内容】
【００１４】
本発明に係る液晶装置の駆動回路において、前記データ線駆動回路は、前記走査線が前記所定数選択される毎に、前記正極性の画像信号と前記負極性の画像信号とを交互に切り替える構成としても良い。このように交互に切り替えると、正極性書込がなされた画素と負極性書込がなされた画素同士でフリッカを相殺させることができるので、表示品位の低下をさらに抑制できる。
【手続補正５】
【補正対象書類名】明細書
【補正対象項目名】００１５
【補正方法】変更
【補正の内容】
【００１５】
また、本発明に係る液晶装置の駆動回路において、前記第１制御回路は、ラッチ回路および選択回路を有し、前記ラッチ回路は、前記複数の共通電極毎にそれぞれ設けられた単位ラッチ回路を有し、前記単位ラッチ回路の各々は、前記データ線駆動回路に対して画像信号の正極性および負極性を指示する極性信号を、当該共通電極に対応する走査線に対して互いに隣接する２行の走査線のいずれか一方が選択されたときにラッチし、前記選択回路は、前記複数の共通電極毎にそれぞれ設けられた単位選択回路を含み、前記一部の走査線に係る画素に対応する共通電極に応じた単位選択回路は、前記ラッチ回路によりラッチされた極性信号に応じて前記第１および第２電圧のいずれかを、当該共通電極に印加し、前記一部の走査線以外の走査線に係る画素に対応する共通電極に応じた単位選択回路は、前記所定の電圧を、当該共通電極に印加することを特徴とする。なお、全画面表示モードにあっては、ラッチ回路は、すべての単位選択回路、前記ラッチ回路によりラッチされた極性信号に応じて前記第１または第２電圧のいずれかを、当該共通電極に印加する。この構成によれば、第１制御回路は、隣接する走査線のうち、いずれかに選択電圧が印加されたときに、共通電極の電圧を切り替えるので、走査線に選択電圧が印加される方向を限られない。
【手続補正６】
【補正対象書類名】明細書
【補正対象項目名】００１６
【補正方法】変更
【補正の内容】
【００１６】
一方、本発明に係る液晶装置の駆動回路において、前記第１制御回路は、ラッチ回路および選択回路を有し、前記ラッチ回路は、前記複数の共通電極毎にそれぞれ設けられた単位ラッチ回路を有し、前記単位ラッチ回路の各々は、前記データ線駆動回路に対して画像信号の正極性および負極性を指示する極性信号を、当該共通電極に対応する走査線よりも１行前の走査線が選択されたときにラッチし、前記選択回路は、前記複数の共通電極毎にそれぞれ設けられた単位選択回路を含み、前記一部の走査線に対応する共通電極に応じた単位選択回路は、前記ラッチ回路によりラッチされた極性信号に応じて前記第１および第２電圧のいずれかを、当該共通電極に印加し、前記一部の走査線以外の走査線に対応する共通電極に応じた単位選択回路は、前記所定の電圧を、当該共通電極に印加することを特徴とする。なお、全画面表示モードにあっては、すべての単位選択回路は、前記ラッチ回路によりラッチされた極性信号に応じて前記第１または第２電圧のいずれかを、当該共通電極に印加する。この構成によれば、第１制御回路は、選択電圧が印加される走査線を、前の１行だけに着目すれば良いので、隣接する２行の走査線のいずれかに選択電圧が印加されたか否かを検出する構成と比較して、構成の簡易化を図ることが可能となる。
【手続補正７】
【補正対象書類名】明細書
【補正対象項目名】００１７
【補正方法】変更
【補正の内容】
【００１７】
また、本発明に係る液晶装置の駆動回路において、前記第１制御回路は、ラッチ回路および選択回路を有し、前記ラッチ回路は、前記複数の共通電極毎にそれぞれ設けられた単位ラッチ回路を有し、前記単位ラッチ回路の各々は、前記データ線駆動回路に対して画像信号の正極性および負極性を指示する極性信号を、当該共通電極に対応する走査線よりも１行前の走査線が選択されたときにラッチし、前記選択回路は、予め定められた前記一部の走査線に係る画素に対応する共通電極に応じて設けられる第１単位選択回路と、前記一部の走査線以外の走査線に対応する共通電極に応じて設けられる第２単位選択回路と、を有し、前記第１単位選択回路は、前記ラッチ回路によりラッチされた極性信号に応じて前記第１または第２電圧のいずれかを、当該共通電極に印加し、前記第２単位選択回路は、全ての前記複数の走査線に係る画素に表示をさせるときには、前記ラッチ回路によりラッチされた極性信号に応じて前記第１および第２電圧のいずれかを、当該共通電極に印加し、前記一部の走査線に係る画素に表示をさせる場合には、前記所定の電圧を、当該共通電極に印加することを特徴とする。なお、全画面表示モードの場合には、第１単位選択回路および第２単位選択回路は、前記ラッチ回路によりラッチされた極性信号に応じて前記第１または第２電圧のいずれかを、当該共通電極に印加する。この構成において、第１単位選択回路は、全画面表示モードと部分表示モードとに関係なく、ラッチ回路によりラッチされた極性信号に応じて第１または第２電圧のいずれかを、共通電極に印加するので、第２単位選択回路として簡略化される。
【手続補正８】
【補正対象書類名】明細書
【補正対象項目名】００１８
【補正方法】変更
【補正の内容】
【００１８】
本発明は、液晶装置の駆動回路のみならず、液晶装置の駆動方法、又は液晶装置としても概念することが可能である。すなわち、本発明の液晶装置の駆動方法は、複数の走査線と、複数のデータ線と、前記複数の走査線の所定数毎に対応して設けられた複数の共通電極と、前記走査線と前記データ線との交差に対応して設けられ、各々は、一端が前記データ線に接続されるとともに、前記走査線に選択電圧が印加されたときに導通状態となる画素スイッチング素子と、一端が前記共通電極に接続され、他端が前記画素スイッチング素子の他端に接続された画素容量と、を含み、当該画素容量の保持電圧に応じた階調となる画素と、を有し、前記複数の走査線のうち一部の走査線に係る画素に表示をさせる液晶装置の駆動方法であって、前記複数の走査線を所定の順番で選択する手順と、前記複数の走査線のうち前記一部の走査線が選択されるときに、選択される走査線に係る画素に対応する共通電極を、第１電圧および前記第電圧より電位が高い第２電圧のいずれか一方から他方に切り替え、且つ、選択された走査線に係る画素に対して当該画素の階調に応じた電圧のデータ信号を供給し、前記一部の走査線以外の走査線が選択されるときには、選択される走査線に係る画素に対応する共通電極に前記所定電圧を供給し、且つ選択された走査線に係る画素に対して前記所定の電圧を供給する手順と、を含んでなることを特徴とする。
また、本発明の液晶装置は、複数の走査線と、複数のデータ線と、前記複数の走査線の所定数毎に対応して設けられた複数の共通電極と、前記走査線と前記データ線との交差に対応して設けられ、各々は、一端が前記データ線に接続されるとともに、前記走査線に選択電圧が印加されたときに導通状態となる画素スイッチング素子と、一端が前記共通電極に接続され、他端が前記画素スイッチング素子の他端に接続された画素容量と、を含み、当該画素容量の保持電圧に応じた階調となる画素、を有し、前記複数の走査線のうち一部の走査線に係る画素に表示をさせることが可能な液晶装置であって、前記複数の走査線を所定の順番で選択する走査線駆動回路と、前記複数の共通電極を駆動する第１制御回路と、選択された走査線に係る画素に対し、当該画素の階調に応じた電圧のデータ信号を、データ線を介して供給するデータ線駆動回路と、選択された走査線に係る画素に対し、所定の電圧を供給する第２制御回路と、を具備し、前記一部の走査線が選択されるときには、前記第１駆動回路は、選択された走査線に係る画素に対応する共通電極の電圧を、第１電圧、および前記第１電圧より高位の第２電圧のいずれか一方から他方に切り替え、且つ前記データ線駆動回路が、選択された走査線に係る画素に対して当該画素の階調に応じた電圧のデータ信号を供給し、前記一部の走査線以外の走査線が選択されるときには、前記第１制御回路は、選択された走査線に係る画素に対応する共通電極に前記所定電圧を供給し、且つ前記第２制御回路が、選択された走査線に係る画素に対して前記所定の電圧を供給することを特徴とする。
ここで、本発明の液晶装置は、第１基板と、前記第１基板に対向配置された第２基板と、前記第１基板と前記第２基板との挟持された液晶と、を備え、前記第１基板が、前記複数の走査線、前記複数のデータ線、前記複数の共通電極および前記画素スイッチング素子を備えてなることを特徴とする。更には、複数の共通電極の各々に対して、補助共通線が接続されてなると好ましい。補助共通線は、走査線および前記共通電極の延在方向に沿って設けられ、１組の共通電極および補助共通線は、所定の間隔毎に設けられたコンタクト配線を介して互い接続される。このような構成では、共通電極は、補助共通線との並列化によって時定数が低下するので、波形鈍りなどに起因する表示品位の低下が防止される。また、複数の共通電極は、複数の走査線の１行ずつに対応して設けられる構成が望ましい。